(57)【要約】【課題】例えば、レンズ装置の外周形状に依存せずに回転操作リングに近接して固定し、様々な回転操作アクセサリーに対応した支持部材を含むレンズ装置を提供する。【解決手段】レンズ装置２００では、筒形状の筐体が、第一の形態の外周面を有する第一筐体部２と、第二の形態の外周面を有する第二筐体部６と、を有し、支持部材７００が、筐体と保持手段８００との間に介在してレンズ装置を支持する。支持部材は、異なる形態の外周面に着脱自在に固定可能なように構成された固定部を有する。支持部材は、異なる形態の固定部１４ａ、１４ｂであったり、弾性変形可能な弾性部材４３ａ、４３ｂが設けられた固定部であったりする。【選択図】図４
2019144440.tif 000002
【特許請求の範囲】
【請求項１】
筒形状の筐体と、前記筐体と保持手段との間に介在して当該レンズ装置を支持する支持部材と、を有するレンズ装置であって、
前記筐体は、第一の形態の外周面を有する第一筐体部と、第二の形態の外周面を有する第二筐体部と、を有し、
前記支持部材は、前記第一の形態の外周面と前記第二の形態の外周面とにそれぞれ着脱自在に固定可能な異なる形態の固定部を有することを特徴とするレンズ装置。
【請求項２】
前記異なる形態の固定部は、それぞれ、前記第一の形態の外周面の曲面と前記第二の形態の外周面の曲面とに対応して異なる曲面を有することを特徴とする請求項１に記載のレンズ装置。
【請求項３】
前記異なる形態の固定部は、それぞれ、前記第一の形態の外周面に固定されるときに当接する第一当接面と前記第二の形態の外周面に固定されるときに当接する第二当接面を有し、前記第一当接面と前記第二当接面とはそれぞれが当接するときに互いに干渉しない位置に配置されていることを特徴とする請求項１または２に記載のレンズ装置。
【請求項４】
筒形状の筐体と、前記筐体と保持手段との間に介在して当該レンズ装置を支持する支持部材と、を有するレンズ装置であって、
前記筐体は、第一の形態の外周面を有する第一筐体部と、第二の形態の外周面を有する第二筐体部と、を有し、
前記支持部材は、前記第一の形態の外周面と前記第二の形態の外周面とにそれぞれ着脱自在に固定可能となるように弾性変形可能な弾性部材が設けられた固定部を有することを特徴とするレンズ装置。
【請求項５】
前記固定部の弾性部材の材質は、前記第一の形態の外周面または前記第二の形態の外周面に当接するゴム材又は樹脂材であることを特徴とする請求項６に記載のレンズ装置。
【請求項６】
前記第一の形態の外周面と前記第二の形態の外周面とはそれぞれ円筒形状を有し、前記第二の形態の外周面の径は、前記第一の形態の外周面の径より小さいことを特徴とする請求項１から５の何れか一項に記載のレンズ装置。
【請求項７】
前記固定部は、当該レンズ装置の光軸に平行な線と交差する方向に伸びて前記筐体と対向する面に設けられていることを特徴とする請求項１から６の何れか一項に記載のレンズ装置。
【請求項８】
前記保持手段と前記支持部材との間に介在して、前記支持部材による支持を補助する補助支柱を有することを特徴とする請求項１から７の何れか一項に記載のレンズ装置。
【発明の詳細な説明】
【技術分野】
【０００１】
本発明はレンズ装置に関する。
【背景技術】
【０００２】
従来のレンズ装置は、三脚へ搭載する際に装置を安定して保持するために、レンズ装置の下方に設置された、ガイドプレートやガイドバーに接続するための支持部材を有している。特許文献１では、プレート部材とレンズ取付部を連結して安定してレンズを支持し、特許文献２では、レンズの重心位置によって位置を調整できるレンズ保持部材をバー部材に有している。
【先行技術文献】
【特許文献】
【０００３】
【特許文献１】特開２００３−２９５２８８号公報
【特許文献２】特開２００７−１６３６１７号公報
【発明の概要】
【発明が解決しようとする課題】
【０００４】
しかしながら従来のレンズ装置では、以下に述べるようなことが起こり得る。シネマ撮影で、撮影者はフォーカシングやズーミング操作し易いように、レンズ部の回転操作ギア部とギア連結して操作可能な回転操作アクセサリーを、レンズ装置と接続するカメラ装置の下方にあるカメラ固定部から延伸されたサポート軸に固定して使用する。レンズ装置の回転操作リングに近接した位置にレンズ支持部材を設け、前記サポート軸と強固に締結する場合、上記例では次の点が指摘されうる。すなわち、様々な形状や構造が存在する回転操作アクセサリーに対して対応できず、各アクセサリーに合わせた専用の支持部材を複数用意する必要がある。また、支持部材を固定する取付位置をレンズ装置側に複数設けることも可能だが、レンズ装置は内含するレンズの外径や構造によって光軸方向の外周形状が異なる場合が一般的であり、それぞれの形状に応じた支持部材を用意する必要がある。
【課題を解決するための手段】
【０００５】
上記課題に鑑み、本発明の一側面によるレンズ装置は、筒形状の筐体と、前記筐体と保持手段との間に介在して当該レンズ装置を支持する支持部材と、を有するレンズ装置であって、前記筐体は、第一の形態の外周面を有する第一筐体部と、第二の形態の外周面を有する第二筐体部と、を有し、前記支持部材は、前記第一の形態の外周面と前記第二の形態の外周面とにそれぞれ着脱自在に固定可能な異なる形態の固定部を有する。
【０００６】
また上記課題に鑑み、本発明の他の側面によるレンズ装置は、筒形状の筐体と、前記筐体と保持手段との間に介在して当該レンズ装置を支持する支持部材と、を有するレンズ装置であって、前記筐体は、第一の形態の外周面を有する第一筐体部と、第二の形態の外周面を有する第二筐体部と、を有し、前記支持部材は、前記第一の形態の外周面と前記第二の形態の外周面とにそれぞれ着脱自在に固定可能となるように弾性変形可能な弾性部材が設けられた固定部を有する。
【発明の効果】
【０００７】
本発明によれば、例えば、レンズ装置の外周形状に依存せずに回転操作リングに近接して固定し、様々な回転操作アクセサリーに対応した支持部材を含むレンズ装置を提供することができる。
【図面の簡単な説明】
【０００８】
【図１】本発明の実施例に係る構成のレンズ装置の側面概要図。
【図２】本発明の実施例に係る構成のレンズ装置の上面概要図。
【図３】本発明の実施例に係る構成のレンズ装置と支持部材の一部の側面概要図。
【図４】本発明の実施例に係る構成のレンズ装置と支持部材を正面から見た概要図。
【図５】本発明の実施例に係る構成のレンズ装置と支持部材の一部の側面概要図。
【図６】本発明の実施例に係る構成のレンズ装置と支持部材を正面から見た概要図。
【図７】本発明の他の実施例に係る構成の支持部材の正面概要図。
【図８】本発明の他の実施例に係る構成のレンズ装置と支持部材を正面から見た概要図。
【図９】本発明の他の実施例に係る構成のレンズ装置と支持部材を正面から見た概要図。
【発明を実施するための形態】
【０００９】
本発明によるレンズ装置では、筒形状の筐体が、第一の形態の外周面を有する第一筐体部と、第二の形態の外周面を有する第二筐体部と、を有し、支持部材が、筐体と保持手段との間に介在して当該レンズ装置を支持する。そして、支持部材は、異なる形態の外周面に着脱自在に固定可能なように構成された固定部を有する。本発明の一側面によるレンズ装置では、支持部材は、異なる形態の外周面にそれぞれ着脱自在に固定可能な異なる形態の固定部を有する。本発明の他の側面によるレンズ装置では、支持部材は、異なる形態の外周面にそれぞれ着脱自在に固定可能となるように弾性変形可能な弾性部材が設けられた固定部を有する。
【００１０】
以下に、本発明の実施の形態を図面に基づいて詳細に説明する。
（実施例１）
図１及び図２は、本発明の実施例１による構成を有するレンズ装置の外観の概要を示す図である。図１はレンズ装置の側面からの外観を表しており、図２は上面からの外観を表している。
【００１１】
レンズ装置１００は、レンズ本体２００と、レンズ本体２００のフォーカス、ズーム、絞りの操作を行うドライブユニット３００とを有する。レンズ本体２００とドライブユニット３００は、固定ネジ（図示せず）によって着脱自在に固定されている。またレンズ装置１００は、カメラ装置４００とレンズマウント（図示せず）で着脱自在に接続されている。そしてカメラ装置４００の下方には、カメラ装置４００とカメラ固定基台５００が固定ネジ（図示せず）で着脱自在に接続され、カメラ装置４００を保持している。さらにカメラ固定基台５００の前側には、カメラ装置固定基台５００に設けられた２か所の挿入穴１ａ、１ｂに、レンズ装置１００を支える保持手段であるサポート軸６００ａ、６００ｂがそれぞれ挿入されている。サポート軸６００ａ、６００ｂは、カメラ固定基台５００の両側面より固定ネジ（図示せず）で挿脱自在に固定されている。
【００１２】
レンズ本体２００は、前側より円筒形状の前側筐体２と、フォーカス回転ギア３、ズーム回転ギア４、絞り回転ギア５が配設された円筒形状の中筐体６と、レンズマウントが配設された円筒状のマウント側筐体７とを有する。第一の形態の外周面を有する第一筐体部である前側筐体２には、フォーカス回転ギア３と同時に回転し、ゴムなどの弾性部材から成る操作リング８が設けられている。フォーカス回転ギア３、ズーム回転ギア４、絞り回転ギア５は、それぞれドライブユニット３００に内包された駆動ギア（図示せず）と噛み合っている。そして、ドライブユニット３００のズーム操作部９や、ドライブユニット３００と接続してフォーカスや絞りの操作を行う操作部（図示せず）によって駆動される。なお、フォーカス回転ギア３、ズーム回転ギア４、絞り回転ギア５、及び操作リング８は、ドライブユニット３００に設けられた電動-手動切替手段（図示せず）を用いて電動で操作することが可能である。また操作者が手動側に切り替えたときは、それぞれの回転ギアを直接回転させて操作することも可能である。
【００１３】
前側筐体２の下方には、レンズ本体２００を支える支持部材７００が設けられている。支柱部材７００は、前側筐体２と後述する固定ネジで着脱自在に固定され、サポート軸６００ａ、６００ｂと接続して下支えする役割を担う。支持部材７００は、保持手段であるサポート軸６００ａ、６００ｂと、保持手段であるレンズ固定基台８００を介して連結される。支持部材７００とレンズ固定基台８００は、後述する固定ネジで着脱自在に固定され、さらにレンズ固定基台８００も、サポート軸６００ａ、６００ｂと後述する構造で着脱自在に連結される。なお、支持部材７００は、後述する構造で、第二の形態の外周面を有する第二筐体部である中筐体６とも着脱自在に固定される。
【００１４】
図３、図４、及び図５、図６は、本実施例に係るレンズ装置と支持部材７００の概要を示した概要図である。図３、図４は、支持部材７００が前側筐体２の下方に連結された状態を示しており、一方、図５、図６は中筐体６に連結された状態を示している。
【００１５】
図３は、レンズ本体２００の側面から支持部材７００を見た概要図で、図４は、レンズ本体２００の前側から見た支持部材７００の断面の概要を表している。支持部材７００は、レンズ本体２００側と連結するための固定ネジ１０ａ、１０ｂを備えており、前側筐体２の外周底面の曲面に設けられたネジ部１１ａ、１１ｂとそれぞれ螺合して締結される。固定ネジ１０ａ、１０ｂは、ネジ部１１ａ、１１ｂとそれぞれ螺合するネジ部１２ａ、１２ｂを先端に有し、また反対側の端部には手回し用のツマミ部１３ａ、１３ｂを有する。
【００１６】
前側筐体２に支持部材７００を連結するときは、ツマミ部１３ａ、１３ｂを回して連結する。このとき支持部材７００は、前側筐体２の外周底面の曲面と略等しい曲面（同等の曲率半径の曲面など）を有する固定部である取付面１４ａ、１４ｂで前側筐体２の外周底面と接触する。取付面１４ａ、１４ｂにおいて、固定ネジ１０ａ、１０ｂは、支持部材７００のアーム部１５に設けられたザグリ穴１６ａ、１６ｂ、及びネジ穴１７ａ、１７ｂに貫通した状態で支持部材７００に保持されている。支持部材７００を前側筐体２から外すときは、ツマミ部１３ａ、１３を締結が弱まる方向に回す。するとネジ部１２ａ、１２ｂとネジ部１１ａ、１１ｂとの螺合状態が解除されてネジ部１２ａ、１２ｂがザグリ穴１６ａ、１６ｂに収まり、支持部材７００を外すことができる。このとき、ネジ部１２ａ、１２ｂは、固定ネジ１０ａ、１０ｂを回さない状態ではネジ穴１７ａ、１７ｂに引っかかるため、固定ネジ１０ａ、１０ｂが支持部材７００から容易に抜けることは無い。さらにツマミ部１３ａ、１３ｂを回し続けると、ネジ部１２ａ、１２ｂがネジ穴１７ａ、１７ｂと一度螺合した後、最後は螺合状態が解除されて、固定ネジ１０ａ、１０ｂが支持部材７００から外れる。外れた固定ネジ１０ａ、１０ｂは、支持部材７００を別の位置に固定する場合に使用する。固定部である取付面１４ａ、１４ｂは、レンズ装置の光軸に平行な線と交差する方向（直交する方向など）に伸びて筐体と対向する支持部材７００の面に設けられている。上記構造は、光軸に平行な該線を挟んで対称的に形成されている。
【００１７】
支持部材７００の支柱部１８には、レンズ固定基台８００の固定ネジ１９と螺合するネジ部２０がレンズ固定基台８００側に設けられている。固定ネジ１９は、先端にネジ部２１を有し、また反対側の末端部にはツマミ部２２を有しており、レンズ固定基台８００のザグリ穴２３とネジ穴２４を貫通してレンズ固定基台８００に保持されている。支持部材７００をレンズ固定基台８００から外すときは、ツマミ部２２を締結が弱まる方向に回す。するとネジ部２１とネジ部２０との螺合状態が解除されて、ネジ部２１がザグリ付穴２３に収まり、支持部材７００を外すことができる。このとき、ネジ部２１はネジ穴２４に引っかかるため固定ネジ１９がレンズ固定基台８００から容易に抜けることは無い。
【００１８】
続いて、レンズ固定基台８００のサポート軸６００a、６００ｂへの連結について説明する。サポート軸６００ｂ側は、レンズ固定基台８００の筐体２５に設けられた可動コマ２６と圧縮バネ２７を用いて保持される。サポート軸６００ｂは、筐体２５に設けられたＵ溝部２８に差し込まれる。このとき、圧縮バネ２７の付勢力で紙面右方向に付勢された状態の可動コマ２６を押し込む方向に付勢力に抗して差し込んでサポート軸６００ｂは固定される。一方、サポート軸６００ａ側は、筐体２５の側面のネジ穴２９に挿入された固定ネジ３０を用いて保持される。固定ネジ３０のツマミ部３１を回すと、固定ネジ３０のネジ部３２とネジ穴２９が螺合して、固定ネジ３０の先端にあるコマ３３が、筐体２５のＵ溝部３４に差し込まれたサポート軸６００ａの側面に当接し、サポート軸６００ａが保持される。
【００１９】
図５は、レンズ本体２００の側面から支持部材７００を見た概要図で、図６は、レンズ本体２００の前側から見た支持部材７００の断面の概要を表している。なお、先に説明した図と同一部分には同一符号を付している。図３、図４と異なる点は、支持部材７００が、レンズ本体２００の中筐体６の外周底面の曲面に取り付けられている点である。
【００２０】
支持部材７００の固定ネジ１０ａ、１０ｂは、中筐体６の外周底面の曲面に設けられたネジ部３５ａ、３５ｂとそれぞれ螺合して締結される。ここで中筐体６は、内部に内包するレンズ（図示せず）の有効径が、前側筐体２の内部に内包するレンズ（図示せず）の有効径より小さく、それに伴いレンズ径も小さいため、中筐体６の外周の曲面は前側筐体２より小さい。つまり、前側筐体２の第一の形態の外周面と中筐体６の第二の形態の外周面とはそれぞれ略円筒形状を有し、第二の形態の外周面の径は、第一の形態の外周面の径より小さい。
【００２１】
中筐体６に支持部材７００を連結するときは、図３、図４と同様にツマミ部１３ａ、１３ｂを回して連結する。このとき支持部材７００は、中筐体６の外周底面の曲面と略等しい曲面を有する取付面３６ａ、３６ｂで中筐体６と接触する。ここで、取付面３６ａ、３６ｂにおいて、固定ネジ１０ａ、１０ｂは、支持部材７００のアーム部１５に設けられたザグリ穴３７ａ、３７ｂ、及びネジ穴３８ａ、３８ｂに貫通した状態で支持部材７００に保持されている。上述した様に、異なる形態の固定部である取付面１４ａ、１４ｂ及び取付面３６ａ、３６ｂは、それぞれ、前側筐体２の第一の形態の外周面の曲面及び中筐体６の第二の形態の外周面の曲面に対応して異なる曲面（異なる曲率半径の面など）を有する。
【００２２】
ところで、支持部材７００が中筐体６に連結された状態でレンズ固定基台８００に連結するときは、前側筐体２と中筐体６のそれぞれからレンズ固定基台８００に至るまでの間隔差を補うため、補助支柱３９を介して連結する。補助支柱３９の先端には、支持部材７００のネジ部２０と螺合するネジ部４０が、反対側にはレンズ固定基台８００の固定ネジ１９と螺合するネジ部４１が設けられている。支持部材７００をレンズ固定基台８００に連結するときは、それぞれのネジ部で螺合させて固定する。
【００２３】
支持部材７００を中筐体６から外すときは、ツマミ部１３ａ、１３ｂを締結が弱まる方向に回す。すると、ネジ部１２ａ、１２ｂとネジ部３５ａ、３５ｂとの螺合状態が解除されてネジ部１２ａ、１２ｂがザグリ穴３７ａ、３７ｂに収まり、支持部材７００を外すことができる。さらにツマミ部１３ａ、１３ｂを回し続けると、ネジ部１２ａ、１２ｂがネジ穴３８ａ、３８ｂと一度螺合した後、最後は螺合状態が解除されて、固定ネジ１０ａ、１０ｂが支持部材７００から外れる。なお、外れた固定ネジ１０ａ、１０ｂをネジ穴１７ａ、１７ｂに一度螺合させてネジ部１２ａ、１２ｂがザグリ穴１６ａ、１６ｂに収まる状態にすれば、支持部材７００を前側筐体２に連結可能な状態となる。
【００２４】
ここで、取付面３６ａ、３６ｂは、中筐体６への取付時に取付面１４ａ、１４ｂが中筐体６の外周曲面に干渉しないよう、支持部材７００のアーム部１５の湾曲した上面において、下方にずらして配置されている。一方、取付面１４ａ、１４ｂは、前側筐体２への取付時に取付面３６ａ、３６ｂが前側筐体２の外周曲面に干渉しないよう取付面３６ａ、３６ｂに対して上方に配置されている。したがって、支持支柱７００は前側筐体２と中筐体６の異なる曲面に連結することができる。すなわち、異なる形態の固定部である取付面は、それぞれ、第一の形態の外周面に固定されるときに当接する第一当接面（取付面１４ａ、１４ｂ）と第二の形態の外周面に固定されるときに当接する第二当接面（取付面３６ａ、３６ｂ）である。そして、第一当接面と第二当接面とはそれぞれが当接するときに互いに干渉しない位置に配置されている。
【００２５】
なお、図３〜図６では、前側筐体２と中筐体６への連結時に固定ネジ１０ａ、１０ｂを共用したが、それぞれで別個の固定ネジに対応しても良い。また、本実施例では前側筐体２と中筐体６の固定面は曲面形状を成しているが、支持支柱７００をそれぞれの位置で連結するとき、支持支柱７００の取付面がそれぞれ干渉しない配置が可能であれば、曲面に限られるものではない。
【００２６】
以上のように、本実施例によれば、レンズ本体の異なる外周曲面に応じた異なる接触面を持つ支持部材により、１つの支持部材で回転操作リングに近接して固定し、様々な回転操作アクセサリーに応じた対応をすることができる。
【００２７】
（実施例２）
図７、図８、図９は、本発明の実施例２による構成を有する支持部材の概要を示す概要図である。なお、先に説明した図と同一部分には同一符号を付しており、それぞれの機能の説明については省略する。
【００２８】
図７は、レンズ本体１０００の前側から見た支持部材９００の断面の概要を表している。また図８は、レンズ本体１０００の前側筐体４４に支持部材９００が取り付けられた状態を表している。一方、図９は支持部材９００が中筐体４５に取り付けられた状態の概要を表している。
【００２９】
実施例１の構成と異なる点は、支持部材のレンズ本体への取付面に弾性部材を設けた点である。支持部材９００のアーム部４２には、材質がゴム材、又はエラストマー系の柔らかい樹脂材でできた弾性部材４３ａ、４３ｂが設けられている。弾性部材４３ａ、４３ｂは、固定ネジ１０ａ、１０ｂが貫通する穴を除いてレンズ本体１０００の前側筐体４４、又は中筐体４５の曲面に接触し、固定ネジ１０ａ、１０ｂのねじ込みに応じて変形する。また、レンズ本体１０００への取付時に、固定ネジ１０ａ、１０ｂのツマミ部１３ａ、１３ｂがアーム部４２に接する接触面４６ａ、４６ｂは、径の小さい略曲面を成している。接触面４６ａ、４６ｂは、固定ネジ１０ａ、１０ｂのネジ部１２ａ、１２ｂが前側筐体４４のネジ部４７ａ、４７ｂへ螺合して締結されるとき、又は中筐体４５のネジ部４８ａ、４８ｂへ螺合して締結されるときに、次のように対応する。すなわち、前側筐体４４のとき又は中筐体４５のときのそれぞれの固定ネジ１０ａ、１０ｂの傾きの差に応じて、ツマミ部１３ａ、１３ｂの接する面が変化することに対応する。
【００３０】
固定ネジ１０ａ、１０ｂは、接触面４６ａ、４６ｂに対して、アーム部４２に設けられたザグリ穴４９ａ、４９ｂ及びネジ穴５０ａ、５０ｂに貫通した状態で、支持部材９００に保持されている。支持部材９００を前側筐体４４から外すときは、ツマミ部１３ａ、１３を締結が弱まる方向に回す。すると、ネジ部１２ａ、１２ｂとネジ部４７ａ、４７ｂとの螺合状態が解除されてネジ部１２ａ、１２ｂがザグリ穴４９ａ、４９ｂに収まり、支持部材９００を外すことができる。そして弾性部材４３ａ、４３ｂは元の形状に戻る。
【００３１】
また中筐体４５に固定された支持部材９００を外すときも、同様の操作で行う。なお、支持部材９００の支柱部５１には、レンズ固定基台８００の固定ネジ１９と螺合するネジ部５２が、レンズ固定基台８００側の部分に設けられている。支持部材９００の支柱部５１は、実施例１と同じ操作で、補助支柱３９を介してレンズ固定基台８００と連結することができる。
【００３２】
以上のように、本実施例によれば、支持部材のレンズ本体との接触面に弾性部材を設けることで、１つの支持部材で回転操作リングに近接して固定し、様々な回転操作アクセサリーに応じた対応をすることができる。また、接触面が共用のため支持部材自体が小型化される。
【００３３】
以上、本発明の好ましい実施形態について説明したが、本発明はこれらの実施形態に限定されず、その要旨の範囲内で種々の変形及び変更が可能である。
【符号の説明】
【００３４】
２・・・前側筐体（筒形状の筐体、第一筐体部）
６・・・中筐体（筒形状の筐体、第二筐体部）
１４ａ、１４ｂ・・・取付面（固定部）
２００・・・レンズ本体（レンズ装置）
６００ａ、６００ｂ・・・サポート軸（保持手段）
７００・・・支持部材
８００・・・レンズ固定基台（保持手段）
【図１】
2019144440.tif 000003
【図２】
2019144440.tif 000004
【図３】
2019144440.tif 000005
【図４】
2019144440.tif 000006
【図５】
2019144440.tif 000007
【図６】
2019144440.tif 000008
【図７】
2019144440.tif 000009
【図８】
2019144440.tif 000010
【図９】
2019144440.tif 000011